(57)【要約】      （修正有）【課題】相手コネクタが挿入される位置ずれの許容量を確保しながらコネクタを小型化する。【解決手段】コネクタ１は、相手コネクタを第１の方向における一方側から他方側に向かって挿入可能としてよく、内側ハウジング２と、内側ハウジングを取り囲う外側ハウジング３と、これらのハウジングを連結している複数の端子４とを有していてよい。端子４は、内側ハウジング２に固定される内側の固定部と、外側ハウジング３に固定される外側の固定部と、内側の固定部と外側の固定部との双方に接続して弾性的に変形可能な弾性部とを有していてもよい。外側の固定部は、弾性部に接続している第１の基部と、第１の基部から前記第１の方向に対して交差する方向に延在しており、外側ハウジング３に係合している第１の係合部とを有していてもよい。【選択図】図１
2018195567.tif 000002
【特許請求の範囲】
【請求項１】
第１の側から、第１の方向において前記第１の側とは反対側である第２の側に向かって相手コネクタを挿入可能なコネクタであって、
内側ハウジングと、
前記第１の方向に対して直交する方向で前記内側ハウジングの外側に位置し、前記内側ハウジングを取り囲う外側ハウジングと、
前記内側ハウジングと前記外側ハウジングとを連結している複数の端子とを有しており、
前記端子は、
前記内側ハウジングに固定される内側の固定部と、
前記内側の固定部に接続し、前記相手コネクタが備える相手端子に接触する接触部と、
前記外側ハウジングに固定される外側の固定部と、
前記外側の固定部に接続し、基板に固定される基板固定部と、
前記内側の固定部と前記外側の固定部との双方に接続して弾性的に変形可能な弾性部と、を有しており、
前記外側の固定部は、
前記弾性部に接続している第１の基部と、
前記第１の基部から前記第１の方向に対して交差する方向に延在しており、前記外側ハウジングに係合している第１の係合部と、を有している
ことを特徴とするコネクタ。
【請求項２】
前記端子を前記第１の方向で見た場合、前記第１の基部と前記第１の係合部は、Ｌ字状に配置されている
ことを特徴とする請求項１に記載のコネクタ。
【請求項３】
前記内側の固定部は、
前記弾性部に接続している第２の基部と、
前記第２の基部から前記第１の方向に対して交差する方向に延在しており、前記内側ハウジングに係合している第２の係合部と、を有している
ことを特徴とする請求項１又は２に記載のコネクタ。
【請求項４】
前記端子を前記第１の方向で見た場合、前記第２の基部と前記第２の係合部は、Ｌ字状に配置されている
ことを特徴とする請求項３に記載のコネクタ。
【請求項５】
前記接触部は、前記第２の係合部から前記第１の側に向かって延在している
ことを特徴とする請求項３又は４に記載のコネクタ。
【請求項６】
前記弾性部は、
前記第１の基部から前記第１の側に向かって延在している第１の延伸部と、
前記内側の固定部から前記第１の側に向かって延在している第２の延伸部と、
前記第１の延伸部と前記第２の延伸部とを繋いでいる湾曲部と、を有しており、
前記第１の延伸部の一部又は前記湾曲部の一部は、前記第１の基部と前記第１の延伸部との接続部分よりも前記外側に位置している
ことを特徴とする請求項１乃至５の何れかに記載のコネクタ。
【請求項７】
前記第１の延伸部は、
前記第１の基部から前記第１の側且つ前記外側に向かって斜めに延在している傾斜部と、
前記傾斜部から前記第１の側に延在して前記湾曲部に接続している直線部と、を有している
ことを特徴とする請求項６に記載のコネクタ。
【請求項８】
前記第１の係合部のうちの少なくとも一部分は、前記第１の延伸部及び前記湾曲部よりも前記外側に配置されている
ことを特徴とする請求項６又は７に記載のコネクタ。
【請求項９】
前記内側の固定部と前記弾性部との接続部分は、前記外側の固定部と前記弾性部との接続部分よりも前記第１の側に位置している
ことを特徴とする請求項１乃至８の何れかに記載のコネクタ。
【請求項１０】
第１の側と、第１の方向において前記第１の側とは反対側である第２の側とを有するコネクタであって、内側ハウジングと、前記第１の方向に対して直交する方向で前記内側ハウジングの外側に位置し、前記内側ハウジングを取り囲う外側ハウジングと、前記内側ハウジングと前記外側ハウジングとが連結されるように該内側ハウジング及び該外側ハウジングに取り付けられる複数の第１端子と、を有する第１コネクタと、
複数の第２端子を有し、前記第１コネクタの前記第１の側から前記第２の側に向かって前記第１コネクタに挿入される第２コネクタと、を有するコネクタアッセンブリであって、
前記第１端子は、
前記第２端子に接触する接触部と、
前記内側ハウジングに固定される内側の固定部と、
前記外側ハウジングに固定される外側の固定部と、
前記内側の固定部と前記外側の固定部との双方に接続して弾性的に変形可能な弾性部と、
基板に固定される基板固定部と、を有しており、
前記外側の固定部は、
前記弾性部に接続している第１の基部と、
前記端子を前記第１の方向で見た場合、前記第１の基部から前記第１の方向に対して交差する方向に延在しており、前記外側ハウジングに係合している第１の係合部と、を有しており、
前記第２コネクタが前記第１コネクタに嵌合している状態で、前記複数の第１端子は前記複数の第２端子とそれぞれ電気的に接続している
ことを特徴とするコネクタアッセンブリ。
【請求項１１】
第１の側から、第１の方向において前記第１の側とは反対側である第２の側に向かって相手コネクタを挿入可能なコネクタであって、
内側ハウジングと、
前記第１の方向に対して直交する方向である第２の方向において前記内側ハウジングの外側に位置している外側ハウジングと、
前記内側ハウジングと前記外側ハウジングとを連結している複数の端子と
を有し、
各端子は、
前記外側ハウジングに固定されている外側の固定部と、
前記内側ハウジングに固定されている内側の固定部と、
前記外側の固定部から前記第１の側に向かって延在している第１の延伸部と、前記内側の固定部から前記第１の側に向かって延在している第２の延伸部と、前記第１の延伸部と前記第２の延伸部との間で湾曲している湾曲部と有している、弾性的に変形可能な弾性部と、
前記外側の固定部と前記第１の延伸部との接続部分である第１の接続部と、
前記内側の固定部と前記第２の延伸部との接続部分である第２の接続部と
を有し、
前記第２の接続部は前記第１接続部よりも前記第１の側に位置し、
前記第１の延伸部は、前記第２の接続部に対して前記第２の方向に位置している部分を有し、前記第１の延伸部の前記部分は、前記第１接続部よりも前記第２の方向における外側に位置している
ことを特徴とするコネクタ。
【請求項１２】
前記第１の延伸部は、前記第１接続部から、前記第２の方向における外側且つ前記第１の側に向かって斜めに伸びている傾斜部を含んでいる
ことを特徴とする請求項１１の何れかに記載のコネクタ。
【請求項１３】
前記第１の延伸部は、前記傾斜部から屈曲して前記第１の側に向かって前記第１の方向に伸びている
ことを特徴とする請求項１２に記載のコネクタ。
【請求項１４】
前記傾斜部の端部は、前記第１の方向において前記前記第２の接続部よりも第２の側に位置している、又は前記第１の方向において前記前記第２の接続部と同じ位置に位置している
ことを特徴とする請求項１２に記載のコネクタ。
【請求項１５】
第１の側と、第１の方向において前記第１の側とは反対側である第２の側とを有するコネクタであって、内側ハウジングと、前記第１の方向に対して直交する第２の方向において前記内側ハウジングの外側に位置している外側ハウジングと、前記内側ハウジングと前記外側ハウジングとを連結している複数の第１端子と、を有する第１コネクタと、
複数の第２端子を有し、前記第１コネクタの前記第１の側から前記第２の側に向かって前記第１コネクタに挿入される第２コネクタと、を有するコネクタアッセンブリであって、
各第１端子は、
前記外側ハウジングに固定されている外側の固定部と、
前記内側ハウジングに固定されている内側の固定部と、
前記外側の固定部から前記第１の側に向かって延在している第１の延伸部と、前記内側の固定部から前記第１の側に向かって延在している第２の延伸部と、前記第１の延伸部と前記第２の延伸部との間で湾曲している湾曲部と有している、弾性的に変形可能な弾性部と、
前記外側の固定部と前記第１の延伸部との接続部分である第１の接続部と、
前記内側の固定部と前記第２の延伸部との接続部分である第２の接続部と
を有し、
前記第２の接続部は前記第１接続部よりも前記第１の側に位置し、
前記第１の延伸部は、前記第２の接続部に対して前記第２の方向に位置している部分を有し、前記第１の延伸部の前記部分は、前記第１接続部よりも前記第２の方向における外側に位置している
ことを特徴とするコネクタアッセンブリ。
【発明の詳細な説明】
【技術分野】
【０００１】
本開示はコネクタ及びコネクタアッセンブリに関する。
【背景技術】
【０００２】
下記特許文献１には、回路基板の表面に実装されるフローティングコネクタが開示されている。フローティングコネクタは、内側ハウジングと、前後方向並びに左右方向で内側ハウジングを取り囲う外側のハウジングとを含み、金属などの導体板から成る複数の端子が内側ハウジング及び外側ハウジングにそれぞれ取り付けられることで構成されている。ここで、フローティングコネクタに取り付けられる端子は、内側ハウジングに固定される内側の固定部（特許文献１においては、第１の固定片部２３ｅ）と、外側ハウジングに固定される外側の固定部（特許文献１においては、第２の固定片部２３ｇ）との間に、逆Ｖ字形状に湾曲した弾性部（特許文献１においては、可動部２３ｆ）を有している。上記フローティングコネクタでは、これに取り付けられる複数の端子が上記弾性部においてそれぞれ弾性的に変形することで、相手コネクタの挿入時に２つのコネクタの相対位置のずれを吸収することが可能である。すなわち、相手コネクタの挿入時に相手コネクタの位置がフローティングコネクタに対してずれていたとしても、フローティングコネクタの内側ハウジングの位置が相手コネクタに合わせて動き、相手コネクタがフローティングコネクタに挿入される。
【先行技術文献】
【特許文献】
【０００３】
【特許文献１】特開２０１４−０６７７２３号公報
【発明の概要】
【発明が解決しようとする課題】
【０００４】
上記特許文献１に開示される端子では、外側ハウジングに対する外側の固定部は、基板に半田づけされる部分（基板接続部）から上方に延在し、コネクタの幅方向において弾性部から離れている。このことが、端子、及びこれを取り付けるコネクタの小型化を阻害する要因となっている。
【０００５】
本開示の第１の目的は、相手コネクタの挿入時における相手コネクタの位置ずれを許容し且つ小型化を可能とするコネクタ及びコネクタアッセンブリを提供することにある。本開示の第２の目的は、許容する相対位置のずれを増すことのできるコネクタ及びコネクタアッセンブリを提供することにある。
【課題を解決するための手段】
【０００６】
本開示に係るコネクタは、第１の側から、第１の方向において前記第１の側とは反対側である第２の側に向かって相手コネクタを挿入可能なコネクタであって、内側ハウジングと、前記第１の方向に対して直交する方向で前記内側ハウジングの外側に位置し、前記内側ハウジングを取り囲う外側ハウジングと、前記内側ハウジングと前記外側ハウジングとを連結している複数の端子とを有してよい。ここで、前記端子は、前記内側ハウジングに固定される内側の固定部と、前記内側の固定部に接続し、前記相手コネクタが備える相手端子に接触する接触部と、前記外側ハウジングに固定される外側の固定部と、前記外側の固定部に接続し、基板に固定される基板固定部と、前記内側の固定部と前記外側の固定部との双方に接続して弾性的に変形可能な弾性部と、を有してよい。また、前記外側の固定部は、前記弾性部に接続している第１の基部と、前記第１の基部から前記第１の方向に対して交差する方向に延在しており、前記外側ハウジングに係合している第１の係合部と、を有してよい。これによれば、相手コネクタの挿入時に相手コネクタの位置ずれが許容される。また、コネクタの小型化も可能となる。
【０００７】
また、コネクタの一形態では、前記端子を前記第１の方向で見た場合、前記第１の基部と前記第１の係合部は、Ｌ字状に配置されていてもよい。
【０００８】
また、コネクタの一形態では、前記内側の固定部は、前記弾性部に接続している第２の基部と、前記第２の基部から前記第１の方向に対して交差する方向に延在しており、前記内側ハウジングに係合している第２の係合部と、を有していてもよい。
【０００９】
また、コネクタの一形態では、前記端子を前記第１の方向で見た場合、前記第２の基部と前記第２の係合部は、Ｌ字状に配置されていてもよい。
【００１０】
また、コネクタの一形態では、前記接触部は、前記第２の係合部から前記第１の側に延在していてもよい。
【００１１】
また、コネクタの一形態では、前記弾性部は、前記第１の基部から前記第１の側に延在している第１の延伸部と、前記内側の固定部から前記第１の側に延在している第２の延伸部と、前記第１の延伸部と前記第２の延伸部とを繋いでいる湾曲部と、を有してもよい。ここで、前記第１の延伸部の一部と前記湾曲部の一部のうちの少なくとも一方は、前記第１の基部よりも前記外側に位置していてもよい。
【００１２】
また、コネクタの一形態では、前記第１の延伸部は、前記第１の基部から前記第１の側且つ前記外側に向かって斜めに延在している傾斜部と、前記傾斜部から前記第１の側に延在して前記湾曲部に接続している直線部と、を有していてもよい。
【００１３】
また、コネクタの一形態では、前記第１の係合部のうちの少なくとも一部分は、前記第１の延伸部及び前記湾曲部よりも前記外側に配置されていてもよい。
【００１４】
また、コネクタの一形態では、前記内側の固定部と接続している前記弾性部の端部は、前記外側の固定部と接続している前記弾性部の端部よりも前記第１の側に位置していてもよい。
【００１５】
また、本開示に係るコネクタアッセンブリは、第１コネクタと第２コネクタとを有している。第１コネクタは、第１の側と、第１の方向において前記第１の側とは反対側である第２の側とを有するコネクタであり、内側ハウジングと、第１の方向に対して直交する方向で前記内側ハウジングの外側に位置し、前記内側ハウジングを取り囲う外側ハウジングと、前記内側ハウジングと前記外側ハウジングとが連結されるように該内側ハウジング及び該外側ハウジングに取り付けられる複数の第１端子と、を有する。第２コネクタは、複数の第２端子を有し、前記第１の側から第２の側に向かって前記第１コネクタに挿入される。ここで、前記第１端子は、前記第２端子に接触する接触部と、前記内側ハウジングに固定される内側の固定部と、前記外側ハウジングに固定される外側の固定部と、前記内側の固定部と前記外側の固定部との双方に接続して弾性的に変形可能な弾性部と、基板に固定される基板固定部と、を有していてもよい。また、前記外側の固定部は、前記弾性部に接続している第１の基部と、前記端子を前記第１の方向で見た場合、前記第１の基部から前記第１の方向に対して交差する方向に延在しており、前記外側ハウジングに係合している第１の係合部と、を有していてもよい。前記第２コネクタが前記第１コネクタに嵌合している状態で、前記複数の第１端子は前記複数の第２端子とそれぞれ電気的に接続していることとしてもよい。
【００１６】
本開示で提案するコネクタの一例は、第１の側から、第１の方向において前記第１の側とは反対側である第２の側に向かって相手コネクタを挿入可能なコネクタであって、内側ハウジングと、前記第１の方向に対して直交する方向である第２の方向において前記内側ハウジングの外側に位置している外側ハウジングと、前記内側ハウジングと前記外側ハウジングとを連結している複数の端子とを有している。各端子は、前記外側ハウジングに固定されている外側の固定部と、前記内側ハウジングに固定されている内側の固定部と、弾性的に変形可能な弾性部とを有している。弾性部は、前記外側の固定部から前記第１の側に向かって延在している第１の延伸部と、前記内側の固定部から前記第１の側に向かって延在している第２の延伸部と、前記第１の延伸部と前記第２の延伸部との間で湾曲している湾曲部と有している。さらに、各端子は、前記外側の固定部と前記第１の延伸部との接続部分である第１の接続部と、前記内側の固定部と前記第２の延伸部との接続部分である第２の接続部とを有している。前記第２の接続部は前記第１接続部よりも前記第１の側に位置し、前記第１の延伸部は、前記第２の接続部に対して前記第２の方向に位置している部分を有し、前記第１の延伸部の前記部分は、前記第１接続部よりも前記第２の方向における外側に位置してよい。このコネクタによると、２つのコネクタに許容される相対位置のずれを、増すことができる。
【００１７】
このコネクタにおいて、前記第１の延伸部は、前記第１接続部から、前記第２の方向における外側且つ前記第１の側に向かって斜めに伸びている傾斜部を含んでもよい。
【００１８】
また、このコネクタにおいて、前記第１の延伸部は、前記傾斜部から屈曲して前記第１の側に向かって前記第１の方向に伸びてもよい。
【００１９】
また、前記傾斜部の端部は、前記第１の方向において前記前記第２の接続部よりも第２の側に位置している、又は前記第１の方向において前記前記第２の接続部と同じ位置に位置してもよい。
【００２０】
本開示で提案するコネクタアッセンブリの一例は、第１コネクタと第２コネクタとを有している。前記第１コネクタは、第１の側と、第１の方向において前記第１の側とは反対側である第２の側とを有するコネクタであって、内側ハウジングと、前記第１の方向に対して直交する第２の方向において前記内側ハウジングの外側に位置している外側ハウジングと、前記内側ハウジングと前記外側ハウジングとを連結している複数の第１端子と、を有している。前記第２コネクタは、複数の第２端子を有し、前記第１コネクタの前記第１の側から前記第２の側に向かって前記第１コネクタに挿入される。各第１端子は、前記外側ハウジングに固定されている外側の固定部と、前記内側ハウジングに固定されている内側の固定部と、弾性的に変形可能な弾性部と、前記外側の固定部と前記第１の延伸部との接続部分である第１の接続部と、前記内側の固定部と前記第２の延伸部との接続部分である第２の接続部とを有している。前記弾性部は、前記外側の固定部から前記第１の側に向かって延在している第１の延伸部と、前記内側の固定部から前記第１の側に向かって延在している第２の延伸部と、前記第１の延伸部と前記第２の延伸部との間で湾曲している湾曲部とを有している。前記第２の接続部は前記第１接続部よりも前記第１の側に位置し、前記第１の延伸部は、前記第２の接続部に対して前記第２の方向に位置している部分を有し、前記第１の延伸部の前記部分は、前記第１接続部よりも前記第２の方向における外側に位置している。このコネクタアッセンブリによると、２つのコネクタに許容される相対位置のずれを、増すことができる。
【図面の簡単な説明】
【００２１】
【図１】本開示に係るコネクタを示す斜視図である。
【図２】コネクタを示す上面図である。
【図３Ａ】コネクタを示す下面図である。
【図３Ｂ】コネクタを示す下面図であり、図３Ａを拡大した図である。
【図４】コネクタの構成要素を示す分解斜視図である。
【図５】図２のＶ―Ｖ線における断面を示すコネクタの断面図である。
【図６Ａ】端子を示す正面図である。
【図６Ｂ】端子を示す斜視図である。
【図７】相手コネクタの構成要素を示す分解斜視図である。
【図８】変形例に係る端子を示す斜視図である。
【図９】変形例に係るコネクタを示す斜視図である。
【図１０】さらに別の変形例に係るコネクタの平面図である。
【図１１】図１０に示すＸＩ−ＸＩ線での断面図である。
【図１２Ａ】図１０に示すコネクタが有している端子の斜視図である。
【図１２Ｂ】図１２Ａに示す端子の側面図である。
【発明を実施するための形態】
【００２２】
本実施形態では、コネクタ１の高さを示す方向であって、後述の相手コネクタ９にコネクタ１が取り付けられる方向（各図のＺ１が示す方向）を上方とし、この相手コネクタからコネクタ１を抜去する方向（各図のＺ２が示す方向）を下方とする。また、コネクタ１の短手方向のうちの一方側（各図のＸ１が示す方向）を前方とし、他方側（各図のＸ２が示す方向）を後方とする。また、コネクタ１の長手方向のうちの一方側（各図のＹ１が示す方向）を左方向とし、他方側（各図のＹ２が示す方向）を右方向とする。なお、各種の方向は、あくまでもコネクタ１を構成する部位の相対的な位置関係を説明するためのものであり、絶対的な方向を示すものではない。
【００２３】
図1及び図４に示すように、本実施形態に係るコネクタ１は、内側ハウジング２と、外側ハウジング３と、複数の端子４と、一対の支持金具５とを有してよい。ここで、内側ハウジング２及び外側ハウジング３は、樹脂やプラスチック材、炭素繊維等の絶縁材料により形成されてよく、端子４は、金属等の導電材料により形成されてよい。支持金具５は、金属等の折り曲げ加工が可能な材料により形成されてよい。ただし、コネクタ１の構成部材及び各構成部材の材料は、必ずしもこれに限定されない。
【００２４】
図７に示すように、上記コネクタ１に取り付けられる相手コネクタ９は、略角筒状に形成されるハウジング９１と、ハウジング９１の内側に収容される複数の端子９２と、一対の固定金具９３とを有してよい。コネクタ１の各構成部材と同様に、ハウジング９１は樹脂等により形成されてよく、端子９２及び固定金具９３は金属等により形成されてよい。ただし、相手コネクタ９の形状、構成部材、及び各構成部材の材料は、必ずしもこれに限定されない。例えば、ハウジング９１は、円筒状などに形成されてもよい。
【００２５】
図４に示すように、コネクタ１の内側ハウジング２は、相手コネクタ９を収容するスペースであるコネクタ収容部２１を有してよい。コネクタ１は、いわゆるフローティング機能を有することとしてもよい。即ち、複数の端子４が弾性的に変形し、内側ハウジング２が前後方向並びに左右方向に動くことで、コネクタ１と相手コネクタ９との相対的な位置がある程度ずれていても、コネクタ収容部２１に相手コネクタ９を収納できる。
【００２６】
図４に示すように、内側ハウジング２は、略箱型に形成されてよく、左右方向に延在している前壁部２１１Ｆ及び後壁部２１１Ｂと、前後方向に延在している左壁部２１１Ｌ及び右壁部２１１Ｒとを有してよい。コネクタ収容部２１は、例えば、前壁部２１１Ｆと、後壁部２１１Ｂと、左壁部２１１Ｌと、右壁部２１１Ｒとによって囲まれる空間である。図２に示すように、コネクタ収容部２１は、略矩形状に形成されている上側の開口２１２を有してもよい。この上側の開口２１２に相手コネクタ９が挿入されることで、コネクタ１と相手コネクタ９とが嵌合することとしてもよい。ただし、内側ハウジング２の形状やコネクタ収容部２１の配置位置は、必ずしもこれに限定されない。例えば、コネクタ１を上から見て、内側ハウジング２は丸型などに形成されてもよい。また、内側ハウジング２の上側の開口２１２も、丸型などに形成されてよい。
【００２７】
また、図４に示すように、コネクタ収容部２１の内側には、左右方向に延在している中央壁部２２が設けられてもよい。本実施形態では、中央壁部２２は、前壁部２１１Ｆ、後壁部２１１Ｂ、左壁部２１１Ｌ、及び、右壁部２１１Ｒから離れた位置に配置されている。中央壁部２２の前面及び後面には、上下方向に沿って伸びている複数の溝部２２１が形成されてよい。これら複数の溝部２２１には、複数の端子４がそれぞれ嵌ることとしてもよい。ただし、中央壁部２２の形状及び配置位置は、必ずしもこれに限定されない。
【００２８】
また、図４に示すように、内側ハウジング２は、複数の端子４が取り付けられる取付部２３を有していてもよい。取付部２３は、例えば、中央壁部２２の下部に形成されている。本実施形態では、取付部２３は、左右方向に沿って延在し、中央壁部２２に比べて前後方向で幅広に形成されている。取付部２３の形状は必ずしもこれに限定されない。また、図３Ａ、図３Ｂ、及び図５に示すように、取付部２３には、複数の端子４がそれぞれ収容される複数の端子収容部２３１が形成されてもよい。端子収容部２３１は、例えば、上下方向に沿って伸びている溝又は孔である。また、図３Ｂに示すように、取付部２３の下面には、複数の端子収容部２３１にそれぞれ通じている複数の下側の開口２３２が形成されてもよい。
【００２９】
図４に示すように、複数の端子４のうちの半数が内側ハウジング２の前方に配置され、左右方向で１列に並び、残りの半数が内側ハウジング２の後方に配置され、左右方向で１列に並ぶこととしてもよい。このため、図３Ａ及び図３Ｂに示すように、内側ハウジング2の端子収容部２３１及び下側の開口２３２も、２列で並ぶ。本実施形態では、下側の開口２３２は、後述する端子４に形成されている内側の固定部４２の形状に合わせて略Ｌ字状に形成されている。ただし、下側の開口２３２の形状は必ずしもこれに限定されず、例えば、Ｔ字状であってもよいし、矩形状であってもよい。
【００３０】
図１及び図４に示すように、外側ハウジング３は、前後方向及び左右方向において、内側ハウジング２の外側に位置し、内側ハウジング２を取り囲うこととしてよい。図４に示すように、外側ハウジング３は、内側ハウジング２の前方に配置される前壁部３１Ｆ、内側ハウジング２の後方に配置される後壁部３１Ｂ、内側ハウジング２の左方に配置される左壁部３１Ｌ、及び内側ハウジング２の右方に配置される右壁部３１Ｒを有してよい。前壁部３１Ｆ及び後壁部３１Ｂは、左壁部３１Ｌと右壁部３１Ｒとに接続してよい。また、これら壁部３１Ｆ、３１Ｂ、３１Ｌ、３１Ｒの内側には、壁部３１Ｆ、３１Ｂ、３１Ｌ、３１Ｒによって取り囲まれる、内側ハウジング２を収容するスペースであるハウジング収容部３２が確保されてもよい。図３Ａに示すように、本実施形態では、ハウジング収容部３２は、上方及び下方に開口している矩形の開口である。そして、コネクタ１を下から見て、ハウジング収容部３２のサイズは、内側ハウジング２の取付部２３のサイズよりも大きくなっている。このため、内側ハウジング２は、ハウジング収容部３２の内側で左右方向及び前後方向に動くことができる。ただし、外側ハウジング３の形状は、必ずしもこれに限定されない。例えば、外側ハウジング３は上方に開いた開口を有する箱状に形成され、この箱の内側にハウジング収容部３２が形成されてもよい。他にも例えば、外側ハウジング３は、コネクタ１を上から見て、丸型であってもよい。この場合、ハウジング収容部３２の形状も、丸型であってもよい。
【００３１】
また、図５に示すように、外側ハウジング３の前壁部３１Ｆと後壁部３１Ｂとには、複数の端子４がそれぞれ収容される複数の端子収容部３１１が形成されてもよい。端子収容部３１１は、上下方向に伸びている溝又は孔として形成されてよい。そして、図３Ｂに示すように、前壁部３１Ｆの下面と後壁部３１Ｂの下面には、複数の端子収容部３１１にそれぞれ通じている複数の下側の開口３１２が形成されてもよい。本実施形態では、外側ハウジング３の下側の開口３１２は、後述する端子４に形成されている外側の固定部４１の形状に合わせて略Ｌ字状に形成されている。ただし、外側ハウジング３の下側の開口３１２の形状は、必ずしもこれに限定されない。
【００３２】
次いで、コネクタ１に取り付けられる複数の端子４について説明する。図５に示すように、複数の端子４は、内側ハウジング２と外側ハウジング３とを連結してよい。各端子４は、外側ハウジング３の端子収容部３１１に固定される外側の固定部４１と、内側ハウジング２の端子収容部２３１に固定される内側の固定部４２と、内側の固定部４２と外側の固定部４１とに接続している、弾性的に変形可能な弾性部４３とを有してよい。
【００３３】
図５、図６Ａ、及び図６Ｂに示すように、外側ハウジング３の端子収容部３１１に固定される外側の固定部４１は、弾性部４３に接続している第１の基部４１ａと、上下方向に対して交差する方向に第１の基部４１ａから延在して外側ハウジング３に係合している第１の係合部４１ｂとを有してよい。本開示において、第１の係合部４１ｂとは、端子４において外側ハウジング３に引っ掛かる先端を有する部分を示し、第１の基部４１ａとは、第１の係合部４１ｂと弾性部４３とに接続している部分を示す。なお、端子４は、例えば、平板状の導体材料（具体的には、金属板）から打ち抜き加工により形成され、第１の係合部４１ｂは、第１の基部４１ａに対して折り曲げられることで形成される。他にも例えば、端子４は、線状の導体材料を弾性部４３に対応する位置で曲げることによって形成されてもよい。
【００３４】
第１の係合部４１ｂは、上下方向（即ちＺ軸方向）に延在している第１の基部４１ａに対して交差する方向に延在していてよい。本実施形態では、端子４を上下方向で見た場合（より具体的には、端子４を下側から見た場合）、第１の基部４１ａと第１の係合部４１ｂは、Ｌ字状に配置されている。より具体的には、第１の基部４１ａは、第１の基部４１ａと弾性部４３との接続部分Ｐ１から、外側ハウジング３の外方（即ち、内側ハウジング２から離れる方向）に延在している（以下では、この接続部分Ｐ１を「第１接続部」と称する。）。図６Ａ及び図６Ｂでは、第１の基部４１ａは、前後方向（即ち、Ｘ軸方向）に沿って延在している。別の言い方をすると、第１の基部４１ａと弾性部４３との第１接続部Ｐ１は、第１の基部４１ａのＸ軸方向（前方又は後方）における端部に位置している。そして、第１の係合部４１ｂは、第１接続部Ｐ１とは反対側にある第１の基部４１ａの端部から、上下方向に対して垂直な方向に延在している。図６Ａ及び図６Ｂでは、第１の係合部４１ｂは、左右方向（即ち、Ｙ軸方向）に沿って延在している。なお、第１の係合部４１ｂは、第１の基部４１ａに対して折り曲げられることで形成されてもよい。また、本実施形態では、第１の基部４１ａと第１の係合部４１ｂとの間の角度を略直角としているが、当該角度は鋭角であってもよいし、鈍角であってもよい。
【００３５】
図６Ｂに示すように、内側ハウジング２の端子収容部２３１に収容される内側の固定部４２は、外側の固定部４１と同様に、弾性部４３に接続している第２の基部４２ａと、第２の基部４２ａから上下方向に対して交差する方向に延在して内側ハウジング２に係合している第２の係合部４２ｂとを有してもよい。ここで、第２の係合部４２ｂは、第２の基部４２ａから上下方向（即ち、Ｚ軸方向）に対して交差する方向に延在していてよい。本実施形態では、第２の基部４２ａと第２の係合部４２ｂは、Ｌ字状に配置されている。より具体的には、第２の基部４２ａは、第２の基部４２ａと弾性部４３との接続部分Ｐ２から、内側ハウジング２の中心（前後方向での中心）に近付く方向に延在している（以下では、第２の基部４２ａと弾性部４３との接続部分Ｐ２を「第２接続部」と称する。）。図６Ａ及び図６Ｂでは、第２の基部４２ａは、Ｘ軸方向に沿って延在している。第２の係合部４２ｂは、第２接続部Ｐ２とは反対側にある第２の基部４２ａの端部（即ち、Ｘ２方向の端部）から、上下方向に対して垂直な方向に延在している。第２の係合部４２ｂは、第１の係合部４１ｂと同じ方向に延在している。図６Ａでは、第２の係合部４２ｂは、第１の係合部４１ｂと同様に、Ｙ軸方向に沿って延在している。なお、第２の係合部４２ｂは、第１の係合部４１ｂと同様に、第２の基部４２ａに対して折り曲げられることで形成されてもよい。また、第２の基部４２ａと第２の係合部４２ｂとの間の角度は略直角であってもよいし、その他の何れの角度であってもよい。
【００３６】
このように、上下方向（即ち、Ｚ軸方向）に延在している第１の基部４１ａに対して交差する方向に第１の係合部４１ｂを伸ばすことで、弾性部４３のサイズ（例えば、後述する第１の延伸部４３ａ（図６Ａ参照）と第２の延伸部４３ｂ（図６Ａ参照）との距離）を維持したまま、前後方向（即ち、Ｘ軸方向）において端子４を小型化できる。これにより、相手コネクタ９の位置ずれの許容量を確保しながらコネクタ１を小型化することができる。また、上下方向に延在している第２の基部４２ａに対して交差する方向に第２の係合部４２ｂを伸ばすことも、端子４及びコネクタ１の小型化に寄与することができる。
【００３７】
図４に示すように、内側ハウジング２と外側ハウジング３とに端子４を下から挿入することで、端子４は、内側ハウジング２と外側ハウジング３とに固定されることとしてよい。より具体的には、図３Ｂに示すように、端子４に形成されている外側の固定部４１は、外側ハウジング３の端子収容部３１１に通じている下側の開口３１２から挿入されて、端子収容部３１１に配置されることとしてよい。これと同様に、端子４に形成されている内側の固定部４２は、内側ハウジング２の端子収容部２３１に通じている下側の開口２３２から挿入されて、端子収容部２３１に配置されることとしてもよい。
【００３８】
図６Ｂに示すように、本実施形態では、左右方向（即ち、Ｙ軸方向）に延在している第１の係合部４１ｂには、この左右方向の先端側（図６Ｂでは、Ｙ２方向）に突出している凸部Ｄ１が形成されている。この凸部Ｄ１が、端子収容部３１１の内面（例えば、図３Ｂに示した端子収容部３１１のＹ２方向側の面）に引っ掛かることで、端子４は外側ハウジング３に固定される。また、図６Ｂに示すように、左右方向に延在している第２の係合部４２ｂにも、この左右方向の先端側（即ち、Ｙ２方向）に突出している凸部Ｄ２が形成されている。そして、この凸部Ｄ２が、端子収容部２３１の内面（例えば、図３Ｂに示した端子収容部２３１のＹ２方向側の面）に引っ掛かることで、端子４は内側ハウジング２に固定される。
【００３９】
ただし、第１及び第２の係合部４１ｂ，４２ｂの形状は、必ずしもこれに限定されない。例えば、第１及び第２の係合部４１ｂ，４２ｂは、図６Ｂに示した複数の凸部Ｄ１，Ｄ２をそれぞれ有するものであってもよいし、凸部Ｄ１，Ｄ２を有さず、平坦な先端を有するものであってもよい。この場合、第１及び第２の係合部４１ｂ，４２ｂが外側ハウジング３の端子収容部３１１と内側ハウジング２の端子収容部２３１とにそれぞれ圧入されることで、端子４が各ハウジングに固定されることとしてもよい。他にも例えば、第１及び第２の係合部４１ｂ，４２ｂは、これらの側面（例えば、図６Ｂに示した第１の係合部４１ｂの側面Ｓ）からＸ軸方向に突出する凸部をそれぞれ有していてもよい。これらの凸部が、端子収容部３１１の内面（例えば、図３Ｂに示した端子収容部３１１のＸ１方向側の面）と、端子収容部２３１の内面（例えば、図３Ｂに示した端子収容部２３１のＸ２方向側の面）と、に引っ掛かることで、端子４がハウジング２、３に固定されることとしてもよい。
【００４０】
また、端子４は、内側の固定部４２に接続し、相手コネクタ９が備える端子９２（図７を参照）に接触する接触部４４を有してよい。接触部４４は、第２の係合部４２ｂから上方に延在していてよい。図６Ｂに示すように、本実施形態では、第２の係合部４２ｂは第２の基部４２ａからＹ軸方向に屈曲しているため、第２の係合部４２ｂから延在している接触部４４は、Ｙ軸方向で幅広に形成されている。これにより、相手コネクタ９の端子９２が接触する面積を確保することができ、コネクタ１と相手コネクタ９との電気的な接続を確実に行うことができる。なお、接触部４４には、プレス加工等により凸部４４ａが形成されてもよい。凸部４４ａは、例えば、内側ハウジング２に形成されている孔の内面に引っかかり、端子４を内側ハウジング２に固定する。接触部４４の形状、配置位置、及び延在方向は、必ずしもこれに限定されない。
【００４１】
また、端子４は、外側の固定部４１に接続し、コネクタ１の下方に配置される図示しない基板に固定される基板固定部４５を有してもよい。図６Ａに示すように、基板固定部４５は、端子４の下端に配置されてよく、第１の基部４１ａの下端から、外側ハウジング３の外方（即ち、内側ハウジング２から離れる方向）に向かって延在していてよい。基板固定部４５が半田で基板に取り付けられることで、コネクタ１は基板上に固定されてよい。基板固定部４５は、基板の表面に露出している配線と電気的に接続してもよい。本実施形態では、基板固定部４５は、第１の基部４１ａの下端に繋がり、前後方向（図６Ａ、図６Ｂでは、Ｘ軸方向）に沿って延在している。第１の係合部４１ｂは、上下方向（図６Ａ、図６Ｂでは、Ｚ軸方向）に延在している第１の基部４１ａ及び前後方向に延在している基板固定部４５に対して、垂直な方向（図６Ｂでは、Ｙ軸方向）に沿って延在している。基板固定部４５の形状、配置位置、及び延在方向は、必ずしもこれに限定されない。
【００４２】
また、図６Ａ及び図６Ｂに示すように、端子４は、第１の基部４１ａから上方に延在している第１の延伸部４３ａと、第２の基部４２ａから上方に延在している第２の延伸部４３ｂと、第１及び第２の延伸部４３ａ，４３ｂを繋いでいる略円弧状の湾曲部４３ｃとを有してよい。図６Ａに示すように、第１の延伸部４３ａの一部分、又は、湾曲部４３ｃの一部分は、第１の基部４１ａと第１の延伸部４３ａとの第１接続部Ｐ１よりも外側（即ち、内側ハウジング２から離れる方向）に配置されてよい。言い換えれば、第１の延伸部４３ａは、第２接続部Ｐ２に対して前方又は後方に位置している部分Ｐ３を有している（部分Ｐ３は第２接続部Ｐ２と同じ高さに位置している部分である。）。すなわち、前側に位置している端子４において、部分Ｐ３は第２接続部Ｐ２の前方に位置し、後側に位置している端子４において、部分Ｐ３は第２接続部Ｐ２の後方に位置している。部分Ｐ３は、第１接続部Ｐ１よりも前後方向の外方に位置している。すなわち、前側に位置している端子４において、部分Ｐ３は第１接続部Ｐ１よりも前方に位置し、後側に位置している端子４において、部分Ｐ３は第１接続部Ｐ１の後方に位置している。このようにすることで、例えば、湾曲部４３ｃ及び第１の延伸部４３ａの全部が第１接続部Ｐ１よりも内側に配置される場合に比べて、即ち、湾曲部４３ｃ及び第１の延伸部４３ａの全部が第１接続部Ｐ１よりも、前後方向における内側ハウジング２の中心に近付く方向に配置される場合と比べて、第１の延伸部４３ａと第２の延伸部４３ｂとの間の距離Ｌ３を大きくできる。その結果、内側ハウジング２に許容される変位を前後方向において増すことができる。また、弾性部４３のサイズを前後方向において大きくすることができる。即ち、相手コネクタ９が挿入される際の相手コネクタ９の位置ずれの許容量を確保しながら、端子４及びコネクタ１を小型化することができる。
【００４３】
本実施形態では、第１の延伸部４３ａは、第１の基部４１ａから上方且つ外方に斜めに延在している傾斜部４３ｄと、傾斜部４３ｄから上方に延在して湾曲部４３ｃに接続している直線部４３ｅとを有している。第１の延伸部４３ａは、傾斜部４３ｄと直線部４３ｅとが接続する部分で屈曲し、直線部４３ｅはまっすぐ上方に伸びている。すなわち、直線部４３ｅは鉛直に形成されている。このことによって、端子４の前後方向での幅を低減でき、その結果、コネクタ１を小型化できる。
【００４４】
また、図６Ａに示すように、第１の係合部４１ｂのうちの少なくとも一部分は、第１の延伸部４３ａよりも前後方向における外方（即ち、内側ハウジング２から離れる方向）に配置されてよい。本実施形態では、第１の係合部４１ｂの側面Ｓが、第１の延伸部４３ａよりも外方に配置されている（図６Ａにおいて二点鎖線ｍは第１の延伸部４３ａの位置を示している。）。このようにすることで、外側ハウジング３の前壁部３１Ｆ又は後壁部３１Ｂと、端子４の直線部４３ｅとの間に隙間Ｇ１（図５参照）が確保され、弾性部４３を弾性的に変形し易くすることができる。
【００４５】
また、図６Ａに示すように、内側の固定部４２（より具体的には、第２の基部４２ａ）と弾性部４３（より具体的には、第２の延伸部４３ｂ）との間の第２接続部Ｐ２は、外側の固定部４１（より具体的には、第１の基部４１ａ）と弾性部４３（より具体的には、第１の延伸部４３ａ）との第１接続部Ｐ１よりも上方に位置してよい。図６Ａに示した例では、第２の延伸部４３ｂは略Ｌ字状に形成されており、湾曲部４３ｃからＺ軸方向に延在している第１直線部４３ｇと、この第１直線部４３ｇの下端（即ち、Ｚ２方向側の端部）からＸ軸方向に沿って延在している第２直線部４３ｆとを有している。第２の基部４２ａは第２直線部４３ｆからＸ軸方向に沿って延在している。第２直線部４３ｆと第２基部４２ａとの上側に、相手コネクタ９（図７参照）が配置されるスペース（図５参照、コネクタ収容部２１）が確保されている。また、この第２直線部４３ｆの下側に、内側ハウジング２の位置が前後方向でずれたときに外側の固定部４１が配置されるスペースＥ２（図５参照）が確保されている。第２接続部Ｐ２は、第２直線部４３ｆのＸ軸方向における端部（図６Ａに示す例では、Ｘ２方向側の端部）に位置している。言い換えれば、第２接続部Ｐ２は、第２の基部４２ａのＸ軸方向における端部（図６Ａに示す例では、Ｘ１方向側の端部）に位置している。
【００４６】
図６Ａに示すように、第２の基部４２ａと弾性部４３との第２接続部Ｐ２を、第１の基部４１ａと弾性部４３との第１接続部Ｐ１よりも上方に配置することで、弾性部４３の固定点として機能する第１接続部Ｐ１を、弾性部４３の力点として機能する第２接続部Ｐ２に対してＺ軸方向でずらしている。このため、図６Ａの二点鎖線で示した部分のように、弾性部４３が外方（図６Ａでは、Ｘ１方向）に押されて第２の延伸部４３ｂが第１の延伸部４３ａに近付く場合にモーメントが働き、第１の延伸部４３ａは、外方且つ下方の斜め方向（例えば、図６Ａの矢印Ｆが示した方向）に動くこととなる。これにより、第２の延伸部４３ｂは外方に動くことができ、弾性部４３を弾性的に大きく変形させることができる。即ち、相手コネクタ９が挿入される際の位置ずれの許容量を大きくすることができる。
【００４７】
なお、コネクタ１が有する端子４の形状は、必ずしもこれに限定されない。例えば、図８に示すように、第１の延伸部４３ａは、全体として上方且つ外方（内側ハウジング２から離れる方向）へ向かう斜め方向に延在していてもよい。また、第２の延伸部４３ｂは、前後方向にける内側ハウジング２の中心に向かって斜め上方に延在していてもよい。このようにすることでも、端子４全体に対する弾性部４３の相対的なサイズを大きくすることができ、相手コネクタ９が挿入される際の位置ずれの許容量を大きくすることができる。
【００４８】
なお、図８に示す端子１０４は、上述した端子４と同様に、外側の固定部１４１と、内側の固定部１４２と、弾性部１４３と、接触部１４４と、基板固定部１４５とを有している。外側の固定部１４１は第１の基部１４１ａと第１の係合部１４１ｂとを有し、内側の固定部１４２は、第２の基部１４２ａと第２の係合部１４２ｂとを有している。弾性部１４３は第１の延伸部１４３ａと第２の延伸部１４３ｂと湾曲部１４３ｃとを有している。端子１０４では、上述した端子４と同様、第１の延伸部１４３ａの一部分と湾曲部１４３ｃの一部分とが、第１の基部１４１ａと第１の延伸部１４３ａとの第１接続部Ｐ１よりも外側に配置されている。また、第１の係合部１４１ｂの側面Ｓが、第１の延伸部１４３ａよりも外方に配置されている。これらの点により、端子１０４全体に対する弾性部１４３の相対的なサイズを前後方向において大きくしたり、弾性部４３を弾性的に変形し易くしたりすることができる。即ち、コネクタ及び端子１０４を大きくすることなく、相手コネクタ９が挿入される際の位置ずれの許容量を大きくすることができる。
【００４９】
図６Ａ及び図６Ｂに示すように、第１の基部４１ａ及び第２の基部４２ａを、前後方向（即ち、Ｘ軸方向）及び上下方向（即ち、Ｚ軸方向）に伸ばすことで、外側の固定部４１と弾性部４３とが接続する部分と、内側の固定部４２と弾性部４３とが接続する部分を補強することができる。端子４と同様に、図８に示す端子１０４においても、第１の基部１４１ａ及び第２の基部１４２ａを、前後方向（即ち、Ｘ軸方向）及び上下方向（即ち、Ｚ軸方向）に伸ばすことによって、外側の固定部４１と弾性部４３とが接続する部分と、内側の固定部４２と弾性部４３とが接続する部分との強度を増すことができる。図８に示した端子１０４の例では、第２の基部１４２ａの太さは、弾性部１４３の太さよりも、前後方向、及び上下方向で大きい。これにより、内側の固定部１４２と弾性部１４３との接続部分Ｐ２を補強することができる。
【００５０】
次いで、コネクタ１に取り付けられる一対の支持金具５について説明する。図１に示すように、一対の支持金具５は、内側ハウジング２を外側ハウジング３に対して遊動可能に支持するために、外側ハウジング３の左端と右端とに取り付けられることとしてよい。外側ハウジング３の左壁部３１Ｌ及び右壁部３１Ｒには、支持金具５を収容する支持金具収容部３３が形成されてもよい。支持金具収容部３３は、上下方向に沿って延在している溝、孔又は穴として形成されてもよい。
【００５１】
また、図４に示すように、内側ハウジング２は、外側ハウジング３の左壁部３１Ｌと右壁部３１Ｒとの上方をそれぞれ覆う張り出し部２５Ｌ，２５Ｒを有してよい。そして、張り出し部２５Ｌ，２５Ｒの上面には、上方に突出する第１の係止凸部２６が形成されていてもよい。本実施形態では、張り出し部２５Ｌ，２５Ｒの上面が、内側ハウジング２の上面を構成しているが、内側ハウジング２における張り出し部２５Ｌ，２５Ｒの位置は、必ずしもこれに限定されない。
【００５２】
支持金具５は、上下方向、前後方向、及び左右方向における所定距離を超える内側ハウジング２の移動を規制することとしてもよい。図１に示すように、支持金具５は、本体部５１と、本体部５１の下部であって外側ハウジング３の支持金具収容部３３に収容される部分である基部５２と、本体部５１の上部に接続しており内側ハウジング２の動きを規制する規制部５３Ｆ，５３Ｂを有してよい。また、図４に示すように、基部５２には、支持金具収容部３３の縁（内面）に引っ掛かる係合部５２１が形成されてもよい。本実施形態では、係合部５２１は、基部５２の前後の縁に形成される凹凸であるが、係合部５２１は、外側ハウジング３に引っ掛かるものであればよく、係合部５２１は形状及び配置位置は、必ずしもこれに限定されない。
【００５３】
本実施形態では、支持金具５の規制部５３Ｆ，５３Ｂは、内側ハウジング２の左右方向での中心に向かって本体部５１の上部から伸びている。そして、規制部５３Ｆ，５３Ｂは、内側ハウジング２の上面（より具体的には、張り出し部２５Ｌ，２５Ｒの上面）の上方に位置し、内側ハウジング２の上面と規制部５３Ｆ，５３Ｂとの間には隙間が形成されている。これにかえて、規制部５３Ｆ，５３Ｂは、内側ハウジング２の上面と接していてもよい。なお、支持金具５は、平板状の導体材料（金属板）から形成されてもよい。また、規制部５３Ｆ，５３Ｂは、本体部５１から折り曲げられることで形成されてもよい。また、本実施形態では、内側ハウジング２の上面（より具体的には、張り出し部２５Ｌ，２５Ｒの上面）は、外側ハウジング３の上面（より具体的には、左壁部３１Ｌの上面及び右壁部３１Ｒの上面）の上方に位置し、規制部５３Ｆ，５３Ｂも、外側ハウジング３の上面よりも上方に位置している。
【００５４】
図２に示すように、規制部５３Ｆ，５３Ｂは、第１の係止凸部２６の前方と後方とにそれぞれ配置されてよい。規制部５３Ｆ，５３Ｂの前後方向における間隔Ｈ１は、第１の係止凸部２６の幅Ｈ２よりも広い。このようにすることで、前後方向に移動した内側ハウジング２の第１の係止凸部２６が、規制部５３Ｆの後縁又は規制部５３Ｂの前縁と当接して、内側ハウジング２の前後方向での動きが規制されることとなる。
【００５５】
また、図４に示すように、内側ハウジング２の前壁部２１１Ｆ及び後壁部２１１Ｂは、張り出し部２５Ｌ，２５Ｒの上面よりもさらに上方に突出する第２の係止凸部２７をそれぞれ有してもよい。支持金具５の規制部５３Ｆ，５３Ｂは、第２の係止凸部２７から左右方向に離れた位置に配置されてもよい。このことによって、左右方向に移動した内側ハウジング２の第２の係止凸部２７が、規制部５３Ｆ，５３Ｂの先端の縁に当接することで、内側ハウジング２の左右方向での動きが規制されることとなる。これに限らず、左側の張り出し部２５Ｌの左端又は右側の張り出し部２５Ｒの右端が、支持金具５の本体部５１に当たることでも、内側ハウジング２の左右方向での動きが規制されることとしてもよい。
【００５６】
また、図１及び図４に示すように、第１及び第２の係止凸部２６，２７には傾斜面２６１，２７１がそれぞれ形成されてもよい。傾斜面２６１，２７１は、コネクタ収容部２１に向かって斜め下方に伸びている面である。図２に示すように、第１の係止凸部２６に形成されている傾斜面２６１の左右方向における幅Ｈ３は、内側ハウジング２の左右方向で移動できる距離よりも大きいこととしてよい。これと同様に、第２の係止凸部２７に形成されている傾斜面２７１の前後方向における幅Ｈ４は、内側ハウジング２の前後方向で移動できる距離よりも大きいこととしてよい。このようにすることで、例えば、コネクタ１と相手コネクタ９との相対的な位置ずれの大きさが内側ハウジング２の移動許容量の上限と等しい場合でも、相手コネクタ９の挿入を確実にガイドすることができ、コネクタ１に相手コネクタ９を篏合させることができるようになる。
【００５７】
なお、図１及び図４で例示する支持金具５は、上下方向、前後方向、及び左右方向の３方向で所定距離を超える内側ハウジング２の移動を規制しているが、支持金具５は、上下方向、前後方向、左右方向のうちの１又は複数の方向で内側ハウジング２が移動できないように、内側ハウジング２を固定してもよい。例えば、規制部５３Ｆ，５３Ｂと内側ハウジング２の上面（より具体的には、張り出し部２５Ｌ，２５Ｒの上面）との上下方向での距離を略ゼロにすることで、内側ハウジング２を上下方向で固定できる。規制部５３Ｆ，５３Ｂと第１の係止凸部２６との前後方向での距離を略ゼロにすることで、内側ハウジング２を前後方向で固定できる。規制部５３Ｆ，５３Ｂと第２の係止凸部２７との左右方向での距離を略ゼロにすることで、内側ハウジング２を左右方向で固定できる。別の言い方をすると、支持金具５は、上下方向、前後方向、及び左右方向のうちの１又は２方向でのみ、所定距離での内側ハウジング２の移動を許可してもよい。
【００５８】
コネクタが有する支持金具５の形状及び配置は、必ずしもこれに限定されない。例えば、図９に示すコネクタ１００では、４つの支持金具１０５が、外側ハウジング３の前壁部３１Ｆの左側と右側の２箇所と、後壁部（前壁部３１Ｆとは反対側の壁部）の左側と右側の２箇所とに形成されている４つの支持金具収容部３３にそれぞれ収容されてもよい。この場合、前壁部３１Ｆに収容される支持金具１０５は、本体部１５１から後方に延在している規制部１５３Ｆを有してよい。後壁部に収容される支持金具１０５は、本体部１５１から前方に延在している規制部１５３Ｂを有してよい。このようにすることでも、内側ハウジング２が前後方向に動いた際、第１の係止凸部２６が規制部１５３Ｆ又は規制部１５３Ｂの先端の縁と当接するため、内側ハウジング２の前後方向での動きを規制することができる。さらに、内側ハウジング２が左右方向に動いた際、第２の係止凸部２７が規制部１５３Ｆ，１５３Ｂのサイドの縁に当接することで、内側ハウジング２の左右方向での動きを規制することができる。
【００５９】
図１０、図１１、図１２Ａ、及び図１２Ｂは、さらに別の変形例であるコネクタ２００を示す図である。これらの図では、これまで説明したコネクタ１と同一箇所には対応する符号を付している。以下では、コネクタ１との相違点を中心に説明する。コネクタ２００について説明のない事項は、コネクタ１と同様である。
【００６０】
コネクタ２００は端子２０４を有している（図１１参照）。図１２Ａに示すように、端子２０４は、外側の固定部２４１と、内側の固定部２４２と、弾性部２４３と、接触部２４４とを有している。
【００６１】
図１２Ａに示すように、外側の固定部２４１は第１の基部２４１ａと第１の係合部２４１ｂと基板固定部２４１ｃとを有している。コネクタ２００の例では、基板固定部２４１ｃは、第１の基部２４１ａの下部から前後方向における外方に伸びており、端子２０４の下端に位置している。すなわち、前側の端子２０４においては、基板固定部２４１ｃは第１の基部２４１ａの下部から前方に伸びている。後側の端子２０４においては、基板固定部２４１ｃは第１の基部２４１ａの下部から後方に伸びている。また、前側の端子２０４においては、第１の係合部２４１ｂは基板固定部２４１ｃの前部から上方に伸びている。後側の端子２０４においては、第１の係合部２４１ｂは基板固定部２４１ｃの後部から上方に伸びている。したがって、外側の固定部２４１は、左右方向で外側の固定部２４１を見たときに、上方に開いた略Ｕ字形状である。第１の係合部２４１ｂの縁（第１の基部２４１ａ側の縁）には、外側ハウジング３の下部（壁部３１Ｂ、３１Ｆ）に形成されている溝３１ａに引っかかる凸部２４１ｄ（図１２Ｂ参照）が形成されている。
【００６２】
図１２Ａに示すように、内側の固定部２４２は、弾性部２４３に接続している第２の基部２４２ａと、第２の基部２４２ａに対して折り曲げられている部分２４２ｂを有している（部分２４２ｂを「折曲げ部」と称する。）。端子２０４では、端子４とは異なり、第２の基部２４２ａが内側ハウジング２に引っかかる係合部として機能している。詳細には、第２の基部２４２ａに、第２の基部２４２ａの板厚方向（左右方向）に突出する凸部２４２ｃが形成され、この凸部２４２ｃが内側ハウジング２の下部に形成されている溝（端子収容部２３１）の内面に引っかかっている。接触部２４４は折曲げ部２４２ｂから上方に伸びている。
【００６３】
図１２Ａに示すように、弾性部２４３は、外側の固定部２４１から上側に伸びている部分（第１の延伸部２４３ａ）と、内側の固定部２４２から上側に伸びている部分（第２の延伸部２４３ｂ）と、第１の延伸部２４３ａと第２の延伸部２４３ｂとの間で円弧状に湾曲している湾曲部２４３ｃと有している。端子２０４の例では、第２の延伸部２４３ｂは、内側の固定部２４２から前後方向で伸びている第２直線部２４３ｆ（第１の延伸部２４３ａに向かって前後方向に伸びている部分）と、その第２直線部２４３ｆの端部で屈曲して上側に向かって伸びている第１直線部２４３ｇとを有している。第２直線部２４３ｆの上側に、相手コネクタ９（図７参照）が配置されるスペース（図１１参照、コネクタ収容部２１）が確保されている。また、この第２直線部２４３ｆの下側に、内側ハウジング２の位置が前後方向でずれたときに外側の固定部２４１が配置されるスペースＥ２（図１１参照）が確保されている。
【００６４】
図１２Ｂに示すように、端子２０４の例では、端子４の例とは異なり、第１直線部２４３ｇは上側且つ前後方向での外側に向かって斜めに伸びている。すなわち、前側の端子２０４においては、第１直線部２４３ｇは第２直線部２４３ｆから前方且つ上方に斜めに伸び、後側の端子２０４においては、第１直線部２４３ｇは第２直線部２４３ｆから後方且つ上方に斜めに伸びている。このことによって、内側ハウジング２の位置が前後方向でずれたときに、湾曲部２４３ｃがコネクタ収容部２１に侵入することを抑えることができる。例えば、内側ハウジング２の位置が前方にずれたときに、第１直線部２４３ｇが後方に傾斜して湾曲部２４３ｃがコネクタ収容部２１に侵入してしまうことを、防ぐことができる。
【００６５】
図１２Ｂに示すように、端子２０４は、第１の延伸部２４３ａと外側の固定部２４１との接続部分である第１接続部Ｐ１と、第２の延伸部２４３ｂと内側の固定部２４２との接続部分である第２接続部Ｐ２とを有している。端子４の例と同様に、第２接続部Ｐ２は、第１接続部Ｐ１よりも上側に位置している。
【００６６】
図１２Ｂに示すように、第１の延伸部２４３ａは、第２接続部Ｐ２に対して前方又は後方に位置している部分Ｐ３を有している（部分Ｐ３は第２接続部Ｐ２と同じ高さに位置している部分である。）。すなわち、前側に位置している端子２０４において、部分Ｐ３は第２接続部Ｐ２の前方に位置し、後側に位置している端子２０４において、部分Ｐ３は第２接続部Ｐ２の後方に位置している。部分Ｐ３は、第１接続部Ｐ１よりも前後方向の外方に位置している。すなわち、前側に位置している端子２０４において、部分Ｐ３は第１接続部Ｐ１よりも前方に位置し、後側に位置している端子２０４において、部分Ｐ３は第１接続部Ｐ１の後方に位置している。この構造によって、第１の延伸部２４３ａと第２の延伸部２４３ｂとの距離Ｌ３が大きくなる。その結果、内側ハウジング２が前後方向において大きく変位できる。
【００６７】
図１２Ｂに示すように、端子２０４の例では、第１の延伸部２４３ａは第１接続部Ｐ１から伸びている傾斜部２４３ｄと、傾斜部２４３ｄからさらに伸びている直線部２４３ｅとを有している。傾斜部２４３ｄは、前後方向の外側且つ上側に向かって斜めに伸びている。すなわち、前側に位置している端子２０４の傾斜部２４３ｄは、前側且つ上側に向かって斜めに伸び、後側に位置している端子２０４の傾斜部２４３ｄは、後側且つ上側に向かって斜めに伸びている。この傾斜部２４３ｄによって、部分Ｐ３は第１接続部Ｐ１よりも前後方向の外方に位置している。第１の延伸部２４３ａは直線部２４３ｅと傾斜部２４３ｄとの間で屈曲し、直線部２４３ｅは傾斜部２４３ｄから上方（鉛直方向）に伸びている。
【００６８】
図１２Ｂに示すように、端子２０４の例では、傾斜部２４３ｄの上端（傾斜部２４３ｄと直線部２４３ｅとの間の屈曲部）は第２接続部Ｐ２よりも下側に（言い換えれば、第２直線部２４３ｆよりも下側に）位置している。すなわち、傾斜部２４３ｄの上端の高さは、第２接続部Ｐ２の高さよりも低い。この構造によって、前側の端子２０４の第１の延伸部２４３ａと外側ハウジング３の前壁部３１Ｆとの間に隙間Ｇ１（図１１参照）が確保され、後側の端子２０４の第１の延伸部２４３ａと後壁部３１Ｂとの間に隙間Ｇ１（図１１参照）が確保されている。このことによって、弾性部２４３が壁部３１Ｆ、３１Ｂによって阻害されることなく、前後方向で弾性変形可能となっている。なお、傾斜部２４３ｄの上端は、第２接続部Ｐ２と同じ高さに位置してもよい。すなわち、傾斜部２４３ｄの上端は、第２接続部Ｐ２の前方又は後方に位置してもよい。
【００６９】
なお、端子２０４の形状は図１２Ａ等で示すものに限られない。例えば、端子２０４は、傾斜部２４３ｄに替えて、第１接続部Ｐ１から上方に伸び、その後に屈曲して前後方向の外側に向かって伸びる略Ｌ字形状の部分を有してもよい。すなわち、前側に位置している端子２０４は、第１接続部Ｐ１から上方に伸び、その後に屈曲して前方に伸びる略Ｌ字形状の部分を有してもよい。また、後側に位置している端子２０４は、第１接続部Ｐ１から上方に伸び、その後に屈曲して後方に伸びている略Ｌ字形状の部分を有してもよい。第１の延伸部２４３ａはその略Ｌ字形状の部分から上方に伸びてもよい。
【００７０】
本明細書の開示は一例にすぎず、本開示の主旨を保った適宜変更であって当業者が容易に想到し得るものは本開示の範囲に含まれる。また、図面で示す各部の幅、厚さ及び形状等は模式的に表されており、本開示の解釈を限定するものではない。
【符号の説明】
【００７１】
１、１００、２００  コネクタ；２  内側ハウジング；２１  コネクタ収容部；２１１Ｆ  前壁部；２１１Ｂ  後壁部；２１１Ｌ  左壁部；２１１Ｒ  右壁部；２１２  上側の開口；２２  中央壁部；２２１  溝部；２３  取付部；２３１  端子収容部；２３２  下側の開口；２５Ｌ，２５Ｒ  張り出し部；２６  第１の係止凸部；２６１  傾斜面；２７  第２の係止凸部；２７１  傾斜面；３  外側ハウジング；３１Ｆ  前壁部；３１Ｂ  後壁部；３１Ｌ  左壁部；３１Ｒ  右壁部；３１１  端子収容部；３１２  下側の開口；３２  ハウジング収容部；３３  支持金具収容部；４、２０４  端子；４１、２４１  外側の固定部；４１ａ、２４１ａ  第１の基部；４１ｂ、２４１ｂ  第１の係合部；４２、２４２  内側の固定部；４２ａ、２４２ａ  第２の基部；４２ｂ、２４２ｂ  第２の係合部；４３、２４３  弾性部；４３ａ、２４３ａ  第１の延伸部；４３ｄ、２４３ｄ  傾斜部；４３ｅ、２４３ｅ  直線部；４３ｂ、２４３ｂ  第２の延伸部；４３ｇ、２４３ｇ  第１直線部；４３ｆ、２４３ｆ  第２直線部；４３ｃ、２４３ｃ  湾曲部；４４、２４４  接触部；４４１  凸部；４５、２４５  基板固定部；Ｐ１  第１接続部；Ｐ２  第２接続部；５  支持金具；５１  本体部；５２  基部；５２１  係合部；５３Ｆ、５３Ｂ、１５３Ｆ、２５３Ｂ  規制部；９  相手コネクタ；９１  ハウジング；９２  端子；９３  固定金具；Ｄ１，Ｄ２  凸部；Ｈ１  規制部の間隔；Ｈ２  第１の係止凸部の幅；Ｈ３，Ｈ４  傾斜面の幅；Ｓ  係合部の側面。
【図１】
2018195567.tif 000003
【図２】
2018195567.tif 000004
【図３Ａ】
2018195567.tif 000005
【図３Ｂ】
2018195567.tif 000006
【図４】
2018195567.tif 000007
【図５】
2018195567.tif 000008
【図６Ａ】
2018195567.tif 000009
【図６Ｂ】
2018195567.tif 000010
【図７】
2018195567.tif 000011
【図８】
2018195567.tif 000012
【図９】
2018195567.tif 000013
【図１０】
2018195567.tif 000014
【図１１】
2018195567.tif 000015
【図１２Ａ】
2018195567.tif 000016
【図１２Ｂ】
2018195567.tif 000017